(57)【要約】      （修正有）【課題】通気穴付きのイヤホンを提供する。【解決手段】イヤホン本体３を有し、イヤホン本体３の後端蓋に、ガスタンク１０が形成され、ガスタンク１０内に、通気穴９が形成される。イヤホン本体３に、通気穴９が形成されて、ホーン２の振動による流動気体を、排出吸入させ、ホーン２が、運動する時、生成した空気抵抗を低減できて、音質が向上され、ホーン２が、封止空間において、運動する時、最もよい状態に保つ。【選択図】図４
0003196121.tif 000002
【実用新案登録請求の範囲】
【請求項１】
イヤホン本体があるイヤホンであって、上記イヤホン本体の後端蓋に、ガスタンクが形成されて、ガスタンク内に、通気穴が形成される、
ことを特徴とする通気穴付きのイヤホン。
【請求項２】
上記通気穴が、一つ以上に形成されることを特徴とする請求項１に記載の通気穴付きのイヤホン。
【請求項３】
上記ガスタンクが、一つ以上に形成されることを特徴とする請求項１に記載の通気穴付きのイヤホン。
【請求項４】
上記ガスタンクの外側に、銘板槽が形成され、銘板槽内に、それに対応する銘板が設置されることを特徴とする請求項１から３に記載されたいずれかの一つの通気穴付きのイヤホン。
【請求項５】
上記イヤホンは、導音管とびホーンを有し、イヤホン本体と、一緒に実装され、上記ホーンが、導音管内に設置され、ホーンの先端に、第一Ｏリングが嵌設され、後端に、第二Ｏリングが嵌設され、第一Ｏリングと第二Ｏリングが、ホーンと導音管との間に設置されることを特徴とする請求項１から３に記載されたいずれかの一つの通気穴付きのイヤホン。
【請求項６】
上記イヤホンは、第三Ｏリングを有し、上記第三Ｏリングが、ホーンの後端に嵌設されて、第二Ｏリングの奥側に設置されることを特徴とする請求項５の通気穴付きのイヤホン。
【請求項７】
上記第三Ｏリングの横断面の直径が、第二Ｏリングの横断面の直径よりも小さいことを特徴とする請求項６の通気穴付きのイヤホン。
【考案の詳細な説明】
【技術分野】
【０００１】
本考案は、イヤホンに関し、特に、通気穴付きのイヤホンに関する。
【背景技術】
【０００２】
イヤホンは、使用便利性と携帯便利性により、人々の日常生活において、幅広く利用され、従来のイヤホンは、導音管とイヤホン本体及びホーンの部分が含有され、その中、導音管とイヤホン本体が、遺書に実装されて、封止空間が形成され、ホーンが働く時、流動する気体が発生し、封止空間内において、その流動がスムーズではないため、ホーンの振動に対して、抵抗を生成し、容易に、イヤホンの音質を低下させる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案は、上記の既存技術のホーンが働く時、生成した流動気体が、封止空間内において、スムーズに流動できなく、イヤホンの音質を低下する欠点について、新規の通気穴付きのイヤホンを提供し、イヤホン本体に、通気穴が形成され、ホーンが運動する時、生成した空気抵抗を低下できて、音質が向上される。
【課題を解決するための手段】
【０００５】
本考案に係る通気穴付きのイヤホンは、イヤホン本体を有し、イヤホン本体の後端蓋に、ガスタンクが形成され、ガスタンク内に通気穴が形成される。
【０００６】
本考案によれば、上記通気穴が、一つ以上に形成され、上記ガスタンクが、一つ以上に形成され、上記ガスタンクの外側に、銘板槽が形成されて、銘板槽内に、それに対応した銘板が設置され、また、上記イヤホンは、導音管とホーンを有し、イヤホン本体と一緒に実装され、ホーンが、導音管内に設置され、ホーンの先端に、第一Ｏリングが嵌設され、後端に、第二Ｏリングが嵌設され、第一Ｏリングと第二Ｏリングが、ホーンと導音管との間に設置される。
【０００７】
また、上記イヤホンは、更に、第三Ｏリングを有し、第三Ｏリングが、ホーンの後端に嵌設されて、第二Ｏリングの奥側に設置される。
【０００８】
上記第三Ｏリングの横断面の直径が、第二Ｏリングの横断面の直径よりも小さい。
【０００９】
本考案によれば、イヤホン本体に通気穴が形成されるため、ホーンの振動による流動気体を、排出吸入すうことができ、ホーンが運動する時、生成した空気抵抗を低減できて、音質が向上され、ホーンが、封止空間においての運動が、最もよい状態に保つ。
【００１０】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１１】
図1乃至図7のように、本考案は、導音管1とホーン2及びイヤホン本体3を有し、導音管1とイヤホン本体3が、一緒に実装されて、イヤホンが形成され、ホーン2が、導音管1内に設置され。本考案によれば、イヤホン本体3の後端蓋に、通気穴9が形成され、ホーン2が、封止空間内において、ピストン式運動を行う時、生成した流動気体を、通気穴9を介して排出吸入を行い、ホーンが、運動する時、空気による抵抗が低減される。通気穴9が、一つや複数に設置され、具体的な量は、必要に応じて調整でき、本実施例において、通気穴9の周囲に、ガスタンク10が設けられ、ガスタンク10も、一つや複数に設置されることができ、ガスタンク10の形状は、任意の幾何形状であってもよいが、円形状が好ましく、一つのガスタンク10内に、一つの通気穴9が形成されてもよいし、複数の通気穴9が形成されてもよい。本実施例において、ガスタンク10の外側に、銘板槽11が設けられ、銘板槽11内に、一つの対応した銘板7が設置されて、通気穴9が、隠れ式通気穴になる。
【００１２】
以下、三種類の実施形態を挙げて、本考案に係る通気穴9について、具体的に説明する。
【００１３】
実施例一は、図8のように、本実施例において、イヤホン本体3の後端蓋に、直径が6.5mmで、深さが0.5mmである銘板槽11が形成され、銘板槽11内に、直径が3mmで、深さが0.5mmであるガスタンク10が設置され、ガスタンク10内に、通気穴9として、直径が1.0mmである貫通穴が形成され、銘板槽11内に、それに対応した銘板7が設置されて、通気穴9が、隠れられるように、隠れ式通気穴になる。
【００１４】
実施例二は、図9のように、本実施例において、イヤホン本体3の後端蓋に、直径が6.5mmで、深さが0.5mmである銘板槽11が形成され、銘板槽11内に、二つの直径が3mmで、深さが0.5mmであるガスタンク10が形成され、各ガスタンク10内に、それぞれ、通気穴9として、直径が1.0mmである貫通穴が形成され、これにより、双通気穴構造が形成され、銘板槽11内に、それに対応した銘板7が設置され、通気穴9が、隠れ式通気穴になる。
【００１５】
実施例三は、図10のように、本実施例において、イヤホン本体3の後端蓋に、直径が6.5mmで、深さが0.5mmである銘板槽11が形成され、銘板槽11内に、二つの直径が3mmで、深さが0.5mmであるガスタンク10が形成され、二つのガスタンク10が、一部に重ね合って、“8”文字構造が形成され、二つのガスタンク10の中央位置に、通気穴9として、直径が1.0mmである貫通穴が形成され、銘板槽11内に、それに対応した銘板7が設置されて、通気穴9が、隠れ式通気穴になる。
【００１６】
本実施例において、ホーン2の先端に、第一Ｏリング4が嵌設されて、ホーン2の後端に、第二Ｏリング5が嵌設され、第一Ｏリング4と第二Ｏリング5が、ホーン2と導音管1との間に設置され、有効的に、ホーン2が、使用される時、導音管1と共振することを防止できる。ホーン2の構造が制限されるため、本実施例において、第二Ｏリング5とホーン2との間に、第三Ｏリング6が嵌設され、具体的に実施される時、第三Ｏリング6が、実用に応じて設置されることができる。本実施例において、第一Ｏリング4と第二Ｏリング5の直径とが、それぞれ、7mmであり、第一Ｏリング4と第二Ｏリング5の横断面の直径が、それぞれ、1.5mmであって、第三Ｏリング6の直径が、7mmであり、第三Ｏリング6の横断面の直径が、1.1mmであり、具体的に実施する時、第一Ｏリング4や第二Ｏリング5及び第三Ｏリング6のサイズが、必要に応じて設置される。本考案は、イヤホン本体3に、一つのイヤホン配線を保護する保護部材8が固定される。
【００１７】
上記実施例は、片方の右耳のイヤホンを例とし、本考案の構造について、具体的に説明し、イヤホンのその他の構造は、従来のイヤホン構造でよいから、ここでは、その説明を省略する。本考案によれば、イヤホン本体に、通気穴が形成され、ホーンが、振動による流動気体を、排出吸入させ、ホーンが、運動する時生成した空気抵抗を低下できて、音質が向上され、ホーンが、封止空間において、運動する時、最もよい状態を保つ。
【００１８】
そのため、本考案は、より進歩的かつより実用的で、法に従って実用新案登録請求を出願する。
【００１９】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２０】
【図１】本考案の正面図
【図２】本考案の立体図
【図３】本考案の立体図(銘板除外)
【図４】本考案の断面図
【図５】本考案の正面分解状態図
【図６】本考案の分解状態立体図
【図７】本考案の分解状態の他の角度から見た立体図
【図８】本考案に係るイヤホン本体の実施例一
【図９】本考案に係るイヤホン本体の実施例二
【図１０】本考案に係るイヤホン本体の実施例三
【符号の説明】
【００２１】
１  導音管
１０  ガスタンク
１１  銘板槽
２  ホーン
３  イヤホン本体
４  第一Ｏリング
５  第二Ｏリング
６  第三Ｏリング
７  銘板
８  保護部材
９  通気穴
【図１】
0003196121.tif 000003
【図２】
0003196121.tif 000004
【図３】
0003196121.tif 000005
【図４】
0003196121.tif 000006
【図５】
0003196121.tif 000007
【図６】
0003196121.tif 000008
【図７】
0003196121.tif 000009
【図８】
0003196121.tif 000010
【図９】
0003196121.tif 000011
【図１０】
0003196121.tif 000012